(57)【要約】【課題】枠保持部が長い布張り枠保持台を、枠保持部の方向を変えて固定することができ、その何れの場合でも作業テーブルに安定して固定できるようにする。【解決手段】布張り枠保持台１０は、作業テーブル８の上面に載置する長手方向の長さが２０〜４０ｃｍである載置部１１と、載置部を作業テーブルに締め付けて固定する固定部１７と、載置部の長手方向の基端部から立設された脚部２０と、脚部の上端部に長手方向の基端部が支持されて長手方向が載置部と平行に延び、長手方向の長さが３０〜１００ｃｍである枠保持部２４、５１とを含む。固定部１７を固定具１８と締め付け具１９とで形成し、固定具１８を、載置部１１の上面の基端部位置と先端部位置との二位置に交換的に取着可能に構成する。【選択図】図２
2007300976.tif 000002
【特許請求の範囲】
【請求項１】
布張り枠（１、４１）に加工布を張る際に該布張り枠を保持するために作業テーブル（８）に固定して用いる布張り枠保持台において、
作業テーブルの上面に載置する長手方向の長さが２０〜４０ｃｍである載置部（１１）と、載置部を作業テーブルに締め付けて固定する固定部（１７）と、載置部の長手方向の基端部から立設された脚部（２０）と、脚部の上端部に長手方向の基端部が支持されて長手方向が載置部と平行に延び、長手方向の長さが３０〜１００ｃｍである枠保持部（２４、５１）とを含み、
固定部（１７）を、載置部とは別体の上板部（１８ａ）と縦板部（１８ｂ）と下板部（１８ｃ）とからなる側面視コ字状の固定具（１８）と、下板部（１８ｃ）から作業テーブルの下面に対して締め付ける締め付け具（１９）とで形成し、
固定具（１８）を次の二位置に交換的に取着可能に構成したことを特徴とする布張り枠保持台。
（ア）載置部（１１）の長手方向の基端部を作業テーブル（８）の縁部に合わせて載置する場合は、固定具（１８）の上板部（１８ａ）を載置部（１１）の上面の基端部位置に取着する。
（イ）載置部（１１）の長手方向の先端部を作業テーブル（８）の縁部に合わせて載置する場合は、固定具（１８）の上板部（１８ａ）を載置部（１１）の上面の先端部位置に取着する。
【請求項２】
前記脚部の下部に上板部を差し入れる穴部を形成し、前記（ａ）の場合には固定具の上板部を前記穴部から差し入れて載置部の上面の基端部位置に取着する請求項１記載の布張り枠保持台。
【発明の詳細な説明】
【技術分野】
【０００１】
本発明は、布張り枠に加工布を張る際に該布張り枠を支持するために作業テーブルに取り付けて用いる布張り枠保持台に関する。
【背景技術】
【０００２】
従来、布張り枠に加工布を張る際に該布張り枠を保持するために作業テーブルに固定して用いる布張り枠保持台が知られている。例えば、特許文献１には、円筒形状の保持枠を装着可能な支持リングがベースに取り付けられ、ベースの背面上部にコ字形状のブラケットが固定され、ボルトを締めることによってブラケットの上部内面と当て板とでミシンテーブルの上下面を挟み付けて固定する保持枠支持装置が記載されている。
【特許文献１】特開平９−７８４３７号公報
【発明の開示】
【発明が解決しようとする課題】
【０００３】
上記の保持枠支持装置は、保持枠が例えば帽子枠のような短いものであり、これに伴い支持リングも短い（例えば３０ｃｍ以下）ものである場合には、上記のようなテーブルへの固定構造でも格別の問題は生じない。しかし、本発明者は、長手方向の長さが３０ｃｍ以上、さらには６０ｃｍ以上ある布張り枠を検討しており、そのような長い布張り枠を布張り時に保持するための長い布張り枠保持台は従来に無かった。そして、仮に上記のような固定構造の保持枠支持装置を用いると、支持装置が長くなるため支持装置自体が不安定になることが懸念された。
【０００４】
本発明の目的は、上記課題を解決し、布張り枠を保持するための枠保持部が長い布張り枠保持台を、作業テーブルに安定して固定することができ、また、作業テーブルの縁部からみて枠保持部がテーブルの内側及び外側の何れに向かう方向にも固定することができ、その何れの場合でも前記の安定して固定する効果を得ることができる布張り枠保持台を提供することにある。
【課題を解決するための手段】
【０００５】
布張り枠に加工布を張る際に該布張り枠を保持するために作業テーブルに固定して用いる布張り枠保持台において、
作業テーブルの上面に載置する長手方向の長さが２０〜４０ｃｍである載置部と、載置部を作業テーブルに締め付けて固定する固定部と、載置部の長手方向の基端部から立設された脚部と、脚部の上端部に長手方向の基端部が支持されて長手方向が載置部と平行に延び、長手方向の長さが３０〜１００ｃｍである枠保持部とを含み、
固定部を、載置部とは別体の上板部と縦板部と下板部とからなる側面視コ字状の固定具と、下板部から作業テーブルの下面に対して締め付ける締め付け具とで形成し、
固定具を次の二位置に交換的に取着可能に構成したことを特徴とする布張り枠保持台である。
（ア）載置部の長手方向の基端部を作業テーブルの縁部に合わせて載置する場合は、固定具の上板部を載置部の上面の基端部位置に取着する。
（イ）載置部の長手方向の先端部を作業テーブルの縁部に合わせて載置する場合は、固定具の上板部を載置部の上面の先端部位置に取着する。
【０００６】
枠保持部の長手方向の長さが３０ｃｍ未満である場合には、かかる荷重及び生じるモーメントが小さいので、それらを考慮する必要性は高くない。しかし、保持する布張り枠の長手方向の長さが長いことに伴い、枠保持部の長手方向の長さが３０ｃｍ以上である場合には、かかる荷重及び生じるモーメントが大きくなり、特に６０ｃｍ以上である場合には、本発明による布張り枠保持台の安定化効果は特に有効となる。一方、枠保持部の長手方向の長さの上限は、本来的にはないが、１００ｃｍを超えるようなニーズは少ないと考えられる。よって、枠保持部の長手方向の長さは６０〜１００ｃｍが好ましい。
【０００７】
ここで、前記脚部の下部に上板部を差し入れる穴部を形成し、前記（ａ）の場合には固定具の上板部を前記穴部から差し入れて載置部の上面の基端部位置に取着するようにすることが好ましい。
【０００８】
保持する布張り枠の形状及びこれを保持する枠保持部の形状としては、特に限定されないが、次の態様を例示できる。
（１）保持する布張り枠が平板状の平枠であり、これに伴い枠保持部が平枠を載せる平板状である態様。
（２）保持する布張り枠が筒形状の筒形枠であり、これに伴い枠保持部が筒形枠を外挿する筒形状である態様。
【０００９】
本発明において、好ましくは、次のような手段を採用できる。
（ａ）枠保持部に布張り枠を規定位置に合わせる位置決め部材を設けること。
（ｂ）枠保持部に布張り枠を動かないように固定する固定部材を設けること。
（ｃ）載置部、脚部及び枠保持部のいずれか一以上に補強リブを設けること。
【発明の効果】
【００１０】
本発明の布張り枠保持台によれば、布張り枠を保持するための枠保持部が長い布張り枠保持台を、作業テーブルに安定して固定することができ、また、作業テーブルの縁部からみて枠保持部がテーブルの内側及び外側の何れに向かう方向にも固定することができ、その何れの場合でも前記の安定して固定する効果を得ることができる。
【発明を実施するための最良の形態】
【００１１】
布張り枠１、４１に加工布を張る際に該布張り枠を保持するために作業テーブル８に固定して用いる布張り枠保持台において、
作業テーブルの上面に載置する長手方向の長さが２０〜４０ｃｍである載置部１１と、載置部を作業テーブルに締め付けて固定する固定部１７と、載置部の長手方向の基端部から立設された脚部２０と、脚部の上端部に長手方向の基端部が支持されて長手方向が載置部と平行に延び、長手方向の長さが３０〜１００ｃｍ（好ましくは６０〜１００ｃｍ）である枠保持部２４、５１とを含み、
固定部１７を、載置部とは別体の上板部１８ａと縦板部１８ｂと下板部１８ｃとからなる側面視コ字状の固定具１８と、下板部１８ｃから作業テーブルの下面に対して締め付ける締め付け具１９とで形成し、
固定具１８を次の二位置に交換的に取着可能に構成したことを特徴とする布張り枠保持台。
（ア）載置部１１の長手方向の基端部を作業テーブル８の縁部に合わせて載置する場合は、固定具１８の上板部１８ａを載置部１１の上面の基端部位置に取着する。
（イ）載置部１１の長手方向の先端部を作業テーブル８の縁部に合わせて載置する場合は、固定具１８の上板部１８ａを載置部１１の上面の先端部位置に取着する。
【実施例１】
【００１２】
図１〜図３に示す実施例１の布張り枠保持台１０は、布張り枠としての平枠１を保持するためのものである。この平枠１は厚さ１〜３ｍｍの金属薄板（例えば鋼薄板）製であり、長手方向の先端側略半分で幅がやや小さくなった長方形をなし、長手方向の長さが例えば６０〜９０ｃｍである。平枠１の中央部に縫製窓２が長手方向に沿って長く形成され、縫製窓２によって加工布Ｗの刺繍範囲が画定される。平枠１の左右両側縁には下向きの補強リブ３が設けられ、補強リブ３の一部に加工布を止着するための布止め４が外向きに突設され、布止め４に加工布Ｗがクリップ５で止着される。この平枠１は後端部６と前端部７において刺繍ミシン（図示略）の枠駆動機構に取り付けられ、平枠１に展張された加工布Ｗに刺繍加工が施される。
【００１３】
さて、実施例１の布張り枠保持台１０は、作業テーブル８の上面に載置する載置部１１と、載置部１１を作業テーブル８に締め付けて固定する固定部１７と、載置部１１の長手方向の基端部から立設された脚部２０と、脚部２０の上端部に長手方向の基端部が支持されて長手方向が載置部１１と平行に延びる枠保持部２４とを含む。
【００１４】
載置部１１は厚さ３．５〜８ｍｍの金属板（例えば鋼板）製であり、長方形状をなし、長手方向の長さが例えば２５〜３０ｃｍである。載置部１１の上面の基端部位置と先端部位置とにはそれぞれ、雌ネジ孔１４の形成された取着板１２、１３が固着されている。載置部１１の下面にはゴム等の滑り止め部材１５が固着されている。また、載置部１１の幅方向の両端部からは補強リブ２７が立設されている。
【００１５】
固定部１７は、載置部１１とは別体の厚さ３．５〜８ｍｍの金属板（例えば鋼板）製の上板部１８ａと縦板部１８ｂと下板部１８ｃとからなる側面視コ字状の固定具１８と、下板部１８ｃから作業テーブル８の下面に対して締め付ける二つの締め付け具１９とで形成されている。上板部１８ａには雄ネジ１６を通す透孔が前記雌ネジ孔１４と対応する位置に形成されている。締め付け具１９は、下板部１８ｃに形成された雌ネジ孔に螺合する雄ネジ部１９ａと、雄ネジ部１９ａの下端に設けられたつまみ部１９ｂと、雄ネジ部１９ａの上端に設けられた作業テーブル８への当接部１９ｃとから形成されている。また、固定部１７の内面側には縦方向に延びる補強リブ２２が立設されている。
【００１６】
脚部２０は厚さ３．５〜８ｍｍの金属板（例えば鋼板）製であり、長方形状をなし、高さが例えば３０〜３５ｃｍである。脚部２０の下部には上板部１８ａを差し入れる穴部２１が形成されている。また、脚部２０の後面及び前面にはそれぞれ縦方向に延びる補強リブ２３ａ，２３ｂが突設されている。
【００１７】
枠保持部２４は厚さ３．５〜８ｍｍの金属平板（例えば鋼板）製であり、平枠１に合わせて長手方向の先端側略半分で幅がやや小さくなった長方形をなし、長手方向の長さが例えば７０〜８０ｃｍである。枠保持部２４の上面の基端部には、平枠１の基端を規定位置に合わせる凸条の位置決め部材２５が取り付けられる。また、枠保持部２４の下面には長手方向に延びる２本の補強リブ２６が突設されている。
【００１８】
固定具１８は次の二位置に交換的に取着可能である。
（ア）図１及び図２（ａ）に示すように、載置部１１の基端部を作業テーブル８の縁部に合わせて載置する場合（作業テーブル８の縁部からみて枠保持部２４が作業テーブル８の内側に向かう場合）は、固定具１８の上板部１８ａを脚部２０の穴部２１から差し入れて載置部１１の上面の基端部位置にある取着板１２にあてがい、雄ネジ１６を透孔を通し雌ネジ孔１４に螺合することにより取着する。この固定具１８を作業テーブル８の縁部に外嵌し、締め付け具１９のつまみ部１９ｂを回して当接部１９ｃを作業テーブル８に強く当接させることにより、布張り枠保持台１０を作業テーブル８に固定する。
（イ）図２（ｂ）に示すように、載置部１１の先端部を作業テーブル８の縁部に合わせて載置する場合（作業テーブル８の縁部からみて枠保持部２４が作業テーブルの外側に向かう場合）は、固定具１８の上板部１８ａを載置部１１の上面の先端部位置にある取着板１３にあてがい、上記（ａ）と同じく雄ネジ１６により取着する。この固定具１８を作業テーブル８の縁部に外嵌し、上記（ア）と同様に締め付け具１９により布張り枠保持台１０を作業テーブル８に固定する。
【００１９】
なお、作業テーブル８は、特定のものに限定されず、刺繍ミシンとは別個の小型の作業テーブルでもよいし、刺繍ミシンのテーブルの一部を作業テーブルとして用いてもよい。作業テーブルの寸法や設置状況（周囲のスペース又は各種装置の近接状況等）に応じて、上記（ア）又は（イ）の取着を任意に選択できることは便利である。
【００２０】
上記（ア）又は（イ）のように作業テーブル８に固定した布張り枠保持台１０を使用するには、図３（ａ）に示すように、枠保持部２４に平枠１を載せ、位置決め部材２５で平枠１の基端を位置決めし、補強リブ３で平枠１の両側部を位置決めして保持する。続いて、図３（ｂ）に示すように、この保持状態の平枠１に加工布Ｗを張ることにより、その布張りを作業性良く行うことができる。具体的には、例えばズボン（ジーンズ等）等の長尺筒形の加工布Ｗを平枠１に挿入し、縫製窓２に被せ、加工布Ｗの縫い始め箇所を縫製窓２内の所定位置に合わせる。なお、この位置合わせを、縫製窓２に対し相似縮小形の開口部３１を有する位置合せ治具３０を一時的にあてがうことにより、容易に行うこともできる。そして、加工布Ｗを縫製窓２の上で伸ばし広げ、加工布Ｗの左右両側部をクリップ５で布止め４に止着する。
【００２１】
さて、この布張り作業時には、長手方向の長さが７０〜８０ｃｍである枠保持部２４の重量のみならず、同じく長い平枠１と加工布Ｗの重量により、布張り枠保持台１０には大きな荷重がかかり、枠保持部２４の先端が下がろうとする方向のモーメントが生じる。しかし、本発明では、長手方向の長さを２５〜３０ｃｍと伸ばした載置部１１の基端部から脚部２０を立設し、脚部２０の上端部に枠保持部２４の長手方向の基端部を支持しているため、伸ばした載置部１１の先端が荷重の支点となり、その支点からみて基端側にある枠保持部２４の一部、脚部２０及び載置部１１の各自重が反対方向のモーメントを生じさせる。この両方向のモーメントが相当に釣り合い、布張り枠保持台１０の重心が基端側に下がって支点に近づくため、長い布張り枠保持台１０が安定する方向となる。
【００２２】
そして、上記（ア）のように固定した場合（図２（ａ））の布張り作業時（図３（ｂ））には、固定部１７にこれを引き上げる方向の力がかかるが、前記のモーメントの釣り合いによりその力が緩和されるため、固定部１７の負荷が軽減される。また、上記（イ）のように固定した場合（図２（ｂ））の布張り作業時には、固定部１７が載置部１１の浮き上がりを押さえるが、やはり前記のモーメントの釣り合いによりその力が緩和されるため、固定部１７の負荷が軽減される。よって、何れの場合でも、長い布張り枠保持台１０を安定して作業テーブル８に固定することができる。
【実施例２】
【００２３】
図４〜図６に示す実施例２の布張り枠保持台５０は、布張り枠としての筒形枠４１を保持するためのものである。この筒形枠４１は厚さ１〜３ｍｍの金属薄板（例えば鋼薄板）製であり、円筒形をなし、長手方向の長さが例えば６０〜９０ｃｍである。筒形枠４１の中央部には加工布Ｗの刺繍範囲を決める縫製窓４２が長手方向に沿って長く形成され、縫製窓４２に被せた厚手の芯地４３により加工布Ｗが筒形枠４１の円筒面に沿って支持される。筒形枠４１には、芯地を筒形枠４１に押し付ける芯地押え部材４４等が設けられている。また、筒形枠４１の後端部には位置決め用の凹部４５と固定用の突起４８とが設けられている。この筒形枠４１は後端部４６と軸状の前端部４７において刺繍ミシン（図示略）の枠駆動機構に取り付けられ、筒形枠４１に展張された加工布Ｗに刺繍加工が施される。
【００２４】
さて、実施例２の布張り枠保持台５０は、実施例１と同様の載置部１１と固定部１７と脚部２０とを含み、主として枠保持部５１において実施例１の枠保持部２４と相違するものであるから、枠保持部５１以外については実施例１における説明を援用する。
【００２５】
枠保持部５１は、厚さ１〜３ｍｍの金属薄板（例えば鋼薄板）製であり、筒形枠４１より一回り小径の円筒形をなし、長手方向の長さが例えば６０〜９０ｃｍである。枠保持部５１の基端部には、前記凹部４５に係合する位置決め凸部５２と、前記突起４８に係合して筒形枠４１を固定するレバー状の固定部材５３とが取り付けられている。また、脚部２０は実施例１のそれよりもやや高く形成され、脚部２０の上部全面に枠保持部５１の基端が固着されている。
【００２６】
固定具１７は実施例１と同様の二位置に交換的に取着可能である。載置部１１の基端部を作業テーブル８の縁部に合わせて載置する図４及び図５（ａ）の場合は、実施例１の図１及び図２（ａ）の場合と同様であり、載置部１１の先端部を作業テーブル８の縁部に合わせて載置する図５（ｂ）の場合は、実施例１の図２（ｂ）の場合と同様である。この取着した固定具１７を作業テーブルの縁部に外嵌し、締め付け具１９により布張り枠保持台１０を作業テーブル８に固定する。
【００２７】
上記（ア）又は（イ）のように固定した布張り枠保持台５０を使用するには、図６に示すように、枠保持部５１に筒形枠４１を外嵌し、位置決め凸部５２に凹部４５を嵌めて周方向の位置決めをし、固定部材５３の爪部を突起４８に係合して長手方向の位置決めをするとともに抜けないように固定して保持する。続いて、この保持状態の筒形枠４１に加工布Ｗを張ることにより、その布張りを作業性良く行うことができる。具体的には、例えばズボン（ジーンズ等）等の長尺筒形の加工布Ｗを筒形枠４１に挿入し、縫製窓２に被せる。
【００２８】
本実施例２の布張り枠保持台５０も、実施例１と同様に、作業テーブル８に安定した固定する作用効果を得ることができる。
【００２９】
本発明は前記実施例に限定されるものではなく、例えば以下のように、発明の趣旨から逸脱しない範囲で適宜変更して具体化することもできる。
（１）固定具１８及び締め付け具１９を左右２つ使用すること。
（２）締め付け具１９をネジによる締め付け式からレバーによる締め付け式に変更すること。
【図面の簡単な説明】
【００３０】
【図１】本発明の実施例１の布張り枠保持台を示す趣旨図である。
【図２】同布張り枠保持台の作業テーブルに対する固定の二態様を示す側面図である。
【図３】同布張り枠保持台の使用の仕方を示す斜視図である。
【図４】本発明の実施例２の布張り枠保持台を示す趣旨図である。
【図５】同布張り枠保持台の作業テーブルに対する固定の二態様を示す側面図である。
【図６】同布張り枠保持台の使用の仕方を示す斜視図である。
【符号の説明】
【００３１】
１    平枠
８    作業テーブル
１０    布張り枠保持台
１１    載置部
１７    固定部
１８    固定具
１９    締め付け具
２０    脚部
２４    枠保持部
４１    筒形枠
５０    布張り枠保持台
５１    枠保持部
Ｗ    加工布
【図１】
2007300976.tif 000003
【図２】
2007300976.tif 000004
【図３】
2007300976.tif 000005
【図４】
2007300976.tif 000006
【図５】
2007300976.tif 000007
【図６】
2007300976.tif 000008